(57)【特許請求の範囲】
【請求項１】
送風装置の電気部品に電気的に接続された回路基板とこの回路基板に電気的に接続された端子台の少なくとも回路基板を前記送風装置の外郭に取付け、前記回路基板を前記外郭に固定手段で固定される第１のカバーで全体を覆い、前記端子台の少なくとも外部配線との接続部の臨む部分を覆う第２のカバーを着脱可能に取付け、前記第１のカバーの固定手段を前記第２のカバーで覆った送風装置。
【請求項２】
前記第１のカバーは前記回路基板と前記端子台を端子台の外部配線との接続部を除いて全体を覆い、前記第２のカバーは前記端子台の外部配線との接続部の臨む部分を別に覆うことを特徴とする請求項１に記載の送風装置。
【請求項３】
前記回路基板と前記端子台とは前記送風装置の外郭に並んで取付けられ、前記第１のカバーは前記回路基板全体を、前記第２のカバーは前記端子台全体をそれぞれ個別に覆い、前記外郭にそれぞれ固定手段で着脱可能に隣接して取付けられることを特徴とする請求項１に記載の送風装置。
【請求項４】
前記端子台は前記第１のカバーの一面に取付けられ、前記第２のカバーは前記第１のカバーに固定手段で着脱可能に取付けられることを特徴とする請求項１に記載の送風装置。
【発明の詳細な説明】
【技術分野】
【０００１】
本発明は、外郭に回路基板を配置した送風装置、特にその回路基板に電気的に接続された端子台を備えた送風装置の回路基板の保護に関するものである。
【背景技術】
【０００２】
送風装置等の電気機器には殆どのものに回路基板があり、小さなものでは回路基板が機器の外郭内に設けられているが、大きなものでは外郭の外に設けられている。この回路基板には電気的に接続された端子台を持つものがあり、これらを保護するために外郭の外に設けられるものでは特許文献１や特許文献２に示されているようなカバーで被覆されている。
【０００３】
【特許文献１】特開平８−７８８６１号公報
【特許文献２】特開２００７−１４３２０４号公報
【発明の開示】
【発明が解決しようとする課題】
【０００４】
回路基板に電気的に接続された端子台を持つ送風装置では、外部配線との接続は端子台において施工業者により行われる。この接続作業において回路基板及び回路基板と端子台との配線は操作又は破損されては困るものである。回路基板には配線作業に伴う鉄線屑等が混入してもトラブルの原因になり、鉄線屑等の混入は回避しなければならない。こうしたことを回避するには従来のカバーでははなはだ不完全である。即ち、回路基板や端子台を一括して覆うカバーは、カバーを外せば回路基板も露出してしまい、破損や配線作業に伴う鉄線屑等の混入は阻めない。カバーにカバーを設け、端子台を呈出させても回路基板はもう一つのカバーで被覆されているものでも、回路基板を収めている空間と端子台を収めている空間は連なっていて、やはり回路基板の破損や配線作業に伴う鉄線屑等の混入の回避は不完全である。
【０００５】
本発明は、上記した従来の問題点を解決するためになされたもので、端子台を使って外部配線との接続作業をする場合でも、回路基板は全体が被覆されたままで呈出しない保護機能の優れた、回路基板に電気的に接続された端子台を備えた送風装置を得ることであり、回路基板の保護に関する構成の簡素化や操作性の向上を図ることである。
【課題を解決するための手段】
【０００６】
上記目的を達成するために本発明は、送風装置の電気部品に電気的に接続された回路基板とこの回路基板に電気的に接続された端子台の少なくとも回路基板を前記送風装置の外郭に取付け、前記回路基板を前記外郭に固定手段で固定される第１のカバーで全体を覆い、前記端子台の少なくとも外部配線との接続部の臨む部分を覆う第２のカバーを着脱可能に取付け、前記第１のカバーの固定手段を前記第２のカバーで覆う手段を採用する。
【発明の効果】
【０００７】
本発明によれば、外部配線との接続は第２のカバーを外して端子台の接続部を呈出させて行うことができる。このとき、回路基板全体及び回路基板と端子台との接続も全体が第１のカバーで覆われたままで露出することがなく、破損や配線作業に伴う鉄線屑等の混入は事実上略完全に回避される。
【発明を実施するための最良の形態】
【０００８】
本発明の送風装置は、据付け時や取外してメンテナンスを行い再度据付ける際に、操作されたり、異物が混入したり、破損されては困る装置外郭に取付けられた回路基板を確り保護する対策を講じたものである。この送風装置は、送風機等の電気部品に電気的に接続された回路基板と回路基板に電気的に接続された端子台が装置の外郭の一面に近接して取付けられている。回路基板と端子台は、端子台の外部配線との接続部を除いて外郭にネジ等の固定手段で固定される第１のカバーで全体が覆われている。この第１のカバーの端子台の外部配線の接続部の臨む部分は、別の第２のカバーで覆われている。第２のカバーは、ネジ等の固定手段で独自に着脱可能に外郭や第１のカバーに取付けられている。第１のカバーの固定手段は第２のカバーで覆われ、第２のカバーを外さない限りその固定手段を操作することはできないようになっている。端子台に接続された外部配線は第２のカバーに設けられた、難燃性ブッシュの装着された引出口から外部に引出されている。本発明の送風装置によれば、外部配線との接続操作及び接続解除操作は第２のカバーを外して端子台の接続部を呈出させて行うことができる。このとき、回路基板全体及び回路基板と端子台との接続構成も全体が第１のカバーで覆われたままで露出することがなく、操作されたり破損を招いたり、配線作業に伴う鉄線屑等の混入も事実上略完全に回避される。
【０００９】
実施の形態１．
図１は、本実施の形態の送風装置の正面図、図２は、他の形態の送風装置の正面図、図３は、回路基板と端子台のカバーを示す断面図、図４は、端子台のカバーを示す斜視図、図５は、回路基板と端子台の他の形態のカバーを示す断面図である。
【００１０】
本実施の形態は、据付け時や取外してメンテナンスを行い再度据付ける際に、操作されたり、異物が混入したり、破損されては困る装置外郭に取付けられた回路基板を確り保護する対策を講じた図１や図２に全体を示すような送風装置に関するものである。この送風装置は、送風機等の電気部品１に電気的に接続された回路基板２と回路基板２に配線３で接続された端子台４が装置の外郭５の一面に近接して取付けられている（図１，図３参照）。端子台４に関しては、図２や図５に示すように装置の外郭５に取付けなくても、後述する第１のカバー６に取付けてもよい。回路基板２と端子台４は、端子台４の外部配線７との接続部８である挿入孔の有る部分を除いて、外郭５にネジ等の固定手段９で固定される第１のカバー６で全体が覆われている。
【００１１】
この第１のカバー６の端子台４の外部配線７との接続部８の臨む部分は、開口部１０となっていて、端子台４を装置の外郭５に取付けるもの（図３に示すもの）では第１のカバー６は、底の開放した板金製の六面体の箱形に構成され、固定手段９による固定部は開放した底の端縁に曲げ形成されたフランジ１１である。端子台４を第１のカバー６に取付けるもの（図５に示すもの）では、第１のカバー６は底の開放した板金製の六面体の箱形であるが、その一側は別部品の、内側に曲げ形成された取付け用のフランジ１２を備えた側板１３で構成されている。この第１のカバー６の端子台４の外部配線７との接続部８の臨む部分は、板金製の箱形に構成された別の第２のカバー１４で覆われている。
【００１２】
第２のカバー１４は、ネジ等の固定手段９で独自に着脱可能で、外郭５或いは第１のカバー６に取付けられている。第２のカバー１４は上述したいずれのタイプも、第１のカバー６の固定手段９の少なくとも一つを外から覆い、第２のカバー１４を完全に外さない限り覆われた第１のカバー６の固定手段９を操作することはできないようになっている。第１のカバー６に階層状に第２のカバー１４を取付ける図５に示す省スペースタイプでは、底面は開放していて、端子台４を取付ける面に臨む第２のカバー１４の開放部分の辺縁は、少なくとも直交する二方向、二面にわたって第１のカバー６の外面を外側から抱き込むフラップ状ないしはスカート状のラップ部１５が延ばし出されている。そして、ラップ部１５の一つが第１のカバー６に対する取付部になっている。端子台４に接続された外部配線７は第２のカバー１４に設けられた、難燃性ブッシュの装着された引出口１６から外部に引出される。
【００１３】
この送風装置によれば、外部配線７との接続操作及び接続解除操作は、第２のカバー１４を外して端子台４の接続部８を呈出させて行うことができる。このとき、回路基板２全体及び回路基板２と端子台４との配線３も全体が第１のカバー６で覆われたままで露出することがなく、操作されたり破損を招いたり、配線作業に伴う鉄線屑等の混入も事実上略完全に回避される。第１のカバー６は、単独では外すことができないため、誤って回路基板２が露呈されてしまうような不具合も回避することができる。第２のカバー１４にラップ部１５を備えたものでは、第１のカバー６への取付けがラップ部１５による位置決め作用により簡単にできる効果もある。また、第１のカバー６と第２のカバー１４の重合する部分については一方の構成を除いて、一重にしたのでその分、材料の低減を図ることができる。
【００１４】
実施の形態２．
図６〜図９に示す本実施の形態は、実施の形態１で示した送風装置における端子台を、回路基板を覆うカバーの外に配置したものであり、これに係る構成以外は実施の形態１のものと同じである。従って、実施の形態１のものと同じ部分については、実施の形態１のものと同じ符号を用いて説明する。
【００１５】
この送風装置は、送風機等の電気部品１に電気的に接続された回路基板２と回路基板２に配線３で接続された端子台４が装置の外郭５の一面に近接して取付けられている（図６参照）。端子台４に関しては、図８に示すように装置の外郭５に取付けなくても、第１のカバー６の外表に取付けてもよい。回路基板２は、外郭５にネジ等の固定手段９で固定される第１のカバー６で全体が覆われている。回路基板２と端子台４を繋いでいる配線３は、難燃性ブッシュの装着された引出口１７から第１のカバー６の外に引出され、端子台４は、回路基板２に近接する装置の外郭５又は第１のカバー６の上面に取付けられている。この端子台４は、別の板金製の第２のカバー１４で覆われ、端子台４の接続部８に接続された外部配線７は、難燃性ブッシュの装着された引出口１６から外に引出されている。
【００１６】
第１のカバー６は、底の開放した板金製の六面体の箱形に構成され、固定手段９による固定部は開放した底の端縁に曲げ形成されたフランジ１１である。端子台４を第１のカバー６に取付けるもの（図８に示すもの）では、第１のカバー６は底の開放した板金製の六面体の箱形であるが、その一側は別部品の、内側に曲げ形成された取付け用のフランジ１２を備えた側板１３で構成されている。第２のカバー１４は、ネジ等の固定手段９で独自に着脱可能で、外郭５或いは第１のカバー６、又は両者に取付けられている。これ以外の構成及び機能は実施の形態１のものと同じであるので、それらについての説明は省略する。
【図面の簡単な説明】
【００１７】
【図１】送風装置の正面図である。（実施の形態１）
【図２】他の形態の送風装置の正面図である。（実施の形態１）
【図３】回路基板と端子台のカバーを示す断面図である。（実施の形態１）
【図４】端子台のカバーを示す斜視図である。（実施の形態１）
【図５】回路基板と端子台の他の形態のカバーを示す断面図である。（実施の形態１）
【図６】回路基板と端子台のカバーを示す断面図である。（実施の形態２）
【図７】回路基板と端子台のカバーを示す分解斜視図である。（実施の形態２）
【図８】回路基板と端子台の他の形態のカバーを示す断面図である。（実施の形態２）
【図９】回路基板と端子台の他の形態のカバーを示す分解斜視図である。（実施の形態２）
【符号の説明】
【００１８】
２  回路基板、  ４  端子台、  ５  外郭、  ６  第１のカバー、  ７  外部配線、  ８  接続部、  ９  固定手段、  １４  第２のカバー、  １５  ラップ部。
【図１】
0005335106.tif 000002
【図２】
0005335106.tif 000003
【図３】
0005335106.tif 000004
【図４】
0005335106.tif 000005
【図５】
0005335106.tif 000006
【図６】
0005335106.tif 000007
【図７】
0005335106.tif 000008
【図８】
0005335106.tif 000009
【図９】
0005335106.tif 000010